(57)【要約】      （修正有）【課題】ディスプレイに直接接触しない非接触タッチデバイスを提供する。【解決手段】非接触タッチデバイスは、裸眼３Ｄディスプレイ１と可動フレーム２を備え、裸眼３Ｄディスプレイ１は可動フレーム２の内部にスライド可能に設けられ、可動フレーム２には、裸眼３Ｄディスプレイ１と電気的に接続される赤外線タッチモジュール３が設けられ、赤外線タッチモジュール３は裸眼３Ｄディスプレイ１の上方に赤外線タッチネットを形成する。裸眼３Ｄの結像技術を用いて、裸眼３Ｄディスプレイ１の映像面を表示面の上方に浮遊させ、赤外線タッチモジュール３は裸眼３Ｄディスプレイ１の上方に赤外線タッチネットを形成し、可動フレーム２をスライドすることで、映像の浮遊表示のニーズに応じて赤外線タッチモジュール３と裸眼３Ｄディスプレイ１との距離を調整することができ、ディスプレイ表面に接触することなくタッチ作用を達成し、細菌やウイルスの伝播をある程度防止することができる。【選択図】図２
0003231087.tif 000002
【実用新案登録請求の範囲】
【請求項１】
裸眼３Ｄディスプレイ（１）と可動フレーム（２）を備え、前記裸眼３Ｄディスプレイ（１）は可動フレーム（２）の内部にスライド可能に設けられ、前記可動フレーム（２）には、前記裸眼３Ｄディスプレイ（１）と電気的に接続される赤外線タッチモジュール（３）が設けられ、前記赤外線タッチモジュール（３）は裸眼３Ｄディスプレイ（１）の上方に赤外線タッチネットを形成することを特徴とする非接触タッチデバイス。
【請求項２】
前記可動フレーム（２）の内側壁にスライドレール（４）が設けられ、前記裸眼３Ｄディスプレイ（１）にはスライドレール（４）に係合するスライダー（５）が設けられ、前記裸眼３Ｄディスプレイ（１）は、スライドレール（４）とスライダー（５）との係合により前記可動フレーム（２）とスライド可能に接続されることを特徴とする請求項１に記載の非接触タッチデバイス。
【請求項３】
可動フレーム（２）とスライドレール（４）を順に貫通するストッパボルト（６）をさらに備え、前記ストッパボルト（６）の先端部は、前記赤外線タッチモジュール（３）と裸眼３Ｄディスプレイ（１）との間に設けられることを特徴とする請求項２に記載の非接触タッチデバイス。
【請求項４】
前記裸眼３Ｄディスプレイ（１）と前記赤外線タッチモジュール（３）との距離は１ｃｍよりも大きいことを特徴とする請求項３に記載の非接触タッチデバイス。
【請求項５】
前記裸眼３Ｄディスプレイ（１）の側壁に保護バー（７）が設けられることを特徴とする請求項１に記載の非接触タッチデバイス。
【請求項６】
前記裸眼３Ｄディスプレイ（１）は、視差バリア方式のディスプレイ、レンチキュラーレンズ方式のディスプレイ又は指向性光源方式のディスプレイのいずれかであることを特徴とする請求項１〜５のいずれか一項に記載の非接触タッチデバイス。
【請求項７】
前記赤外線タッチモジュール（３）は、複数の赤外線発光ダイオード（３２）と複数の赤外線受光ダイオード（３３）が設けられた赤外線タッチフレーム（３１）を備え、前記赤外線発光ダイオード（３２）は赤外線タッチフレーム（３１）の側辺に設けられ、前記赤外線受光ダイオード（３３）は赤外線タッチフレーム（３１）の他の側辺に設けられ、前記赤外線受光ダイオード（３３）のそれぞれと前記赤外線発光ダイオード（３２）のそれぞれとは互いに対称に設けられることを特徴とする請求項１に記載の非接触タッチデバイス。
【考案の詳細な説明】
【技術分野】
【０００１】
本考案は、タッチ表示の分野に属し、具体的には、非接触タッチデバイスに関する。
【背景技術】
【０００２】
現在、タッチ製品は、ますます消費者に好まれており、従来のボタン製品よりもコンテンツを絞り込む際に便利で迅速であるため、多くの場所で使用され、特に病院や銀行などの混雑した公共の施設で使用されている。しかし、従来のタッチ製品は、ディスプレイに直接接触して対応する機能を選択する必要がある。共用のタッチ製品には多くの細菌やウイルスが付着し、特に人の出入りが多い場所においては、人々が自身の健康や安全を非常に重視するので、公共物への直接接触を減らす必要がある。従来のタッチ製品は、使用時にディスプレイへの直接接触を回避することができず、間接的にウイルスや細菌の伝播経路となってしまう。
【考案の概要】
【０００３】
本考案の目的は、上記従来技術における欠点を克服するために、ディスプレイに直接接触しないことを可能にする非接触タッチデバイスを提供することにある。
【０００４】
本考案は以下のように実現される。裸眼３Ｄディスプレイと可動フレームを備え、前記裸眼３Ｄディスプレイは可動フレームの内部にスライド可能に設けられ、前記可動フレームには、前記裸眼３Ｄディスプレイと電気的に接続される赤外線タッチモジュールが設けられ、前記赤外線タッチモジュールは裸眼３Ｄディスプレイの上方に赤外線タッチネットを形成する。
【０００５】
さらに、前記可動フレームの内側壁にスライドレールが設けられ、前記裸眼３Ｄディスプレイにはスライドレールに係合するスライダーが設けられ、前記裸眼３Ｄディスプレイは、スライドレールとスライダーとの係合により前記可動フレームとスライド可能に接続される。
【０００６】
さらに、可動フレームとスライドレールを順に貫通するストッパボルトをさらに備え、前記ストッパボルトの先端部は、前記赤外線タッチモジュールと裸眼３Ｄディスプレイとの間に設けられる。
【０００７】
さらに、前記裸眼３Ｄディスプレイと前記赤外線タッチモジュールとの距離は１ｃｍよりも大きい。
【０００８】
さらに、前記裸眼３Ｄディスプレイの側壁に保護バーが設けられる。
【０００９】
さらに、前記裸眼３Ｄディスプレイは、視差バリア方式のディスプレイ、レンチキュラーレンズ方式のディスプレイ又は指向性光源方式のディスプレイのいずれかである。
【００１０】
さらに、前記赤外線タッチモジュールは、複数の赤外線発光ダイオードと複数の赤外線受光ダイオードが設けられた赤外線タッチフレームを備え、前記赤外線発光ダイオードは赤外線タッチフレームの側辺に設けられ、前記赤外線受光ダイオードは赤外線タッチフレームの他の側辺に設けられ、前記赤外線受光ダイオードのそれぞれと前記赤外線発光ダイオードのそれぞれとは互いに対称に設けられる。
【００１１】
本考案に係る非接触タッチデバイスは、裸眼３Ｄの結像技術を用いて、裸眼３Ｄディスプレイの映像面を表示面の上方に浮遊させ、前記赤外線タッチモジュールが裸眼３Ｄディスプレイの上方に赤外線タッチネットを形成し、可動フレームをスライドすることで、映像の浮遊表示のニーズに応じて赤外線タッチモジュールと裸眼３Ｄディスプレイとの距離を調整することができ、ディスプレイ表面に接触することなくタッチ作用を達成し、細菌やウイルスの伝播をある程度防止することができる。
【図面の簡単な説明】
【００１２】
以下、本考案の実施例又は従来技術の技術的手段をより明確に説明するために、実施例又は従来技術の説明に使用する添付図面を簡単に説明する。以下に説明する図面は、本考案の幾つかの実施例に過ぎず、当業者であれば、創造的な努力なしにこれらの図面から他の図面を導き出すこともできることは明らかである。
【００１３】
以下の図面は、本考案を例示的に説明及び解釈するためのもののみであり、本考案の範囲を限定するものではない。
【００１４】
【図１】図１は本考案の構造概略図である。
【図２】図２は本考案の構造分解図である。
【図３】図３は図２におけるＡの拡大模式図である。
【考案を実施するための最良の形態】
【００１５】
本考案の目的、技術的手段及び利点をより明確にするために、以下、図面を参照しながら実施例によって本考案を詳細に説明する。ここに記載する具体的な実施例は本考案を説明するためのもののみであり、本考案を限定するためのものではないことは理解すべきである。
【００１６】
図１〜図３に示すように、本考案に係る非接触タッチデバイスは、裸眼３Ｄディスプレイ１と可動フレーム２を備え、前記裸眼３Ｄディスプレイ１は可動フレーム２の内部にスライド可能に設けられ、前記可動フレーム２の内側壁にスライドレール４が設けられ、前記裸眼３Ｄディスプレイ１にはスライドレール４と係合するスライダー５が設けられ、前記裸眼３Ｄディスプレイ１は、スライドレール４とスライダー５との係合により前記可動フレーム２とスライド可能に接続される。好ましくは、前記可動フレーム２と裸眼３Ｄディスプレイ１との安定性を向上させるために、前記スライドレール４とスライダー５との摺動抵抗を大きくし、可動フレーム２がスライドしている間に移動動作を随時停止することができ、裸眼３Ｄディスプレイ１と固定する役割を果たし、使い勝手が良い。
【００１７】
前記可動フレーム２には、前記裸眼３Ｄディスプレイ１と電気的に接続される赤外線タッチモジュール３が設けられ、前記裸眼３Ｄディスプレイ１と前記赤外線タッチモジュール３との距離は１ｃｍよりも大きく、前記赤外線タッチモジュール３は裸眼３Ｄディスプレイ１の上方に赤外線タッチネットを形成し、前記赤外線タッチモジュール３は、複数の赤外線発光ダイオード３２と複数の赤外線受光ダイオード３３が設けられた赤外線タッチフレーム３１を備え、前記赤外線発光ダイオード３２は赤外線タッチフレーム３１の側辺に設けられ、前記赤外線受光ダイオードは赤外線タッチフレーム３１の他の側辺に設けられ、前記赤外線受光ダイオードのそれぞれと前記赤外線発光ダイオード３２のそれぞれとは互いに対称に設けられ、前記赤外線発光ダイオード３２のそれぞれは赤外線信号を対応する赤外線受光ダイオードに送信し、各赤外線発光ダイオードと対応する赤外線受光ダイオードとの間の赤外線は共に、縦横に交差する赤外線マトリクスを形成して、赤外線タッチネットを形成する。赤外線タッチ技術については、従来技術であるため、本実施例では簡単に説明するだけである。
【００１８】
裸眼３Ｄの結像技術を用いて、裸眼３Ｄディスプレイ１の映像面を表示面の上方に浮遊させ、前記赤外線タッチモジュール３は可動フレーム２に合わせて動作し、可動フレーム２を移動させることで赤外線タッチモジュール３と裸眼３Ｄディスプレイ１との距離を随時調整することができ、必要に応じて、赤外線タッチネットを裸眼３Ｄディスプレイ１の浮遊映像面と同じ高さに随時調整することができ、指や他の部位が赤外線タッチネットにタッチすると、前記裸眼３Ｄディスプレイ１に表示される対応コンテンツにタッチすることができ、裸眼３Ｄディスプレイ１に接触することなくタッチできる機能を達成し、即ちタッチ機能を空中で実現し、共用ディスプレイへの直接接触を防止し、公共場所でのウイルスや細菌の伝播をある程度減少して、衛生管理を効果的に行うことができる。
【００１９】
可動フレーム２とスライドレール４を順に貫通するストッパボルト６をさらに備え、前記ストッパボルト６の先端部は、前記赤外線タッチモジュール３と裸眼３Ｄディスプレイ１との間に設けられ、さらに、ストッパボルト６と赤外線タッチモジュール３との間に所定の距離を有し、ストッパボルト６は、スライドレール４及び可動フレーム２を固定するとともに、可動フレーム２の移動中に、裸眼３Ｄディスプレイ１が可動フレーム２における赤外線タッチモジュール３に直接衝突することで、使用効果に影響を与えることを防止でき、赤外線タッチモジュール３と裸眼３Ｄディスプレイ１との距離を常に１ｃｍよりも大きく維持することを確保し、非接触タッチ機能を達成することができる。
【００２０】
前記裸眼３Ｄディスプレイ１の側壁に保護バー７が設けられ、保護バー７は、「Ｕ」字状をなすことが好ましいが、それに限定されない。保護バー７の開口端に裸眼３Ｄディスプレイ１の側壁が嵌合され、保護バー７の上端面が、可動フレーム２の移動中における裸眼３Ｄディスプレイ１との接触衝突を防止するように、裸眼３Ｄディスプレイ１の表面よりも高くされ、裸眼３Ｄディスプレイ１の保護効果をある程度達成できる。
【００２１】
上記実施例の更なる態様として、前記裸眼３Ｄディスプレイ１は、視差バリア方式のディスプレイ、レンチキュラーレンズ方式のディスプレイ又は指向性光源方式のディスプレイのいずれかである。
【００２２】
以上は本考案の好ましい実施例に過ぎず、本考案を限定するためのものではなく、本考案の精神及び原則内で行われる全ての修正、同等置換又は変更などは、いずれも本考案の保護範囲内に含まれるべきである。
【符号の説明】
【００２３】
１    裸眼３Ｄディスプレイ
２    可動フレーム
３    赤外線タッチモジュール
３１  赤外線タッチフレーム
３２  赤外線発光ダイオード
３３  赤外線受光ダイオード
４    スライドレール
５    スライダー
６    ストッパボルト
７    保護バー
【図１】
0003231087.tif 000003
【図２】
0003231087.tif 000004
【図３】
0003231087.tif 000005